(57)【特許請求の範囲】
【請求項１】
光源と、制御信号に応じて光出力を変化させる制御部とを備え、第１の所定時刻になると低照度域から高照度域へと光出力を変化させる目覚ましモードを有する照明装置において、前記制御部は、前記目覚ましモード中に光出力を増加させる旨の制御信号が入力されると前記目覚ましモードを停止するものであることを特徴とする照明装置。
【請求項２】
光源と、制御信号に応じて光出力を変化させる制御部とを備え、第１の所定時刻になると低照度域から高照度域へと光出力を変化させる目覚ましモードを有する照明装置において、前記制御部は、前記目覚ましモード中に消灯させる旨の制御信号が入力されると前記目覚ましモードを継続するものであることを特徴とする照明装置。
【請求項３】
前記制御部は、前記目覚まし動作モードの前半だけは、前記制御信号の有無に関わらず目覚まし動作を継続するものであることを特徴とする請求項１又は２記載の照明装置。
【請求項４】
前記制御部は、前記目覚ましモード中にスヌーズ動作を行わさせる旨の制御信号が入力されると前記目覚ましモードを継続するものであることを特徴とする請求項１又は２記載の照明装置。
【請求項５】
前記制御部は、前記目覚ましモード中に全点灯させる旨の制御信号が入力されると前記目覚ましモードを停止して全点灯させるものであることを特徴とする請求項１又は２記載の照明装置。
【請求項６】
前記請求項１乃至５のいずれかに記載の照明装置を用いたことを特徴とする照明器具。
【発明の詳細な説明】
【０００１】
【発明の属する利用分野】
本発明は照明装置及び照明器具に関する。
【０００２】
【従来の技術】
従来、セット時刻に照明負荷を点灯させることにより、光刺激によって就寝者を目覚めさせるものが良く知られている。
【０００３】
また、特開平７−３１８６７０号公報では、図９に示すように、設定された起床希望時刻ｔ１に応じて光発生手段の光の照度を低照度、中照度、高照度の順に連続的に（あるいは段階的に）変化させるとともに低照度から中照度への照度変化を緩やかに、中照度から高照度への照度変化を急速に行うことで、就寝者の睡眠を深い状態から浅い状態に導くとともに、就寝者の生体リズムを活動期に向かわせるものが開示されている。
【０００４】
【発明が解決しようとする課題】
しかし、上記従来例では、以下に示すような問題点が生じてしまう。上記従来
例では、目覚まし動作中（図９中では時刻ｔｏ〜ｔ１の間）に目覚めてしまった場合（図１０中の時刻ｔ３）であっても自由に照度を変えることができず、例えば照度の低いときに目覚めてしまうと所望の照度が得られるまで待たなければならず、作業（着替える、歯を磨くなど）するには不都合である、という問題点が生じてしまう。
【０００５】
本発明は前記問題点に鑑みてなされたもので、その目的とするところは、光刺激によって就寝者を目覚めさせることが可能で、使い勝手の良い照明装置及び照明器具を提供することである。
【０００６】
【課題を解決するための手段】
上記問題点を解決するために、請求項１記載の発明によれば、光源と、制御信号に応じて光出力を変化させる制御部とを備え、第１の所定時刻になると低照度域から高照度域へと光出力を変化させる目覚ましモードを有する照明装置において、制御部は、目覚ましモード中に光出力を増加させる旨の制御信号が入力されると目覚ましモードを停止するものであることを特徴とする。
【０００７】
請求項２記載の発明によれば、光源と、制御信号に応じて光出力を変化させる制御部とを備え、第１の所定時刻になると低照度域から高照度域へと光出力を変化させる目覚ましモードを有する照明装置において、制御部は、目覚ましモード中に消灯させる旨の制御信号が入力されると目覚ましモードを継続するものであることを特徴とする。
【０００８】
請求項３記載の発明によれば、請求項１又は２記載の照明装置において、制御部は、目覚まし動作モードの前半だけは、制御信号の有無に関わらず目覚まし動作を継続するものであることを特徴とする。
【０００９】
請求項４記載の発明によれば、請求項１又は２記載の照明装置において、制御部は、目覚ましモード中にスヌーズ動作を行わさせる旨の制御信号が入力されると目覚ましモードを継続するものであることを特徴とする。
【００１０】
請求項５記載の発明によれば、請求項１又は２記載の照明装置において、制御部は、目覚ましモード中に全点灯させる旨の制御信号が入力されると目覚ましモードを停止して全点灯させるものであることを特徴とする。
請求項６記載の発明によれば、請求項１乃至５のいずれかに記載の照明装置を用いたことを特徴とする。
【００１１】
【実施の形態】
（実施の形態１）
本発明に係る第１の実施の形態のブロック構成図を図１に、このブロック構成を用いた照明器具１６の模式的な側面断面図を図２に、動作波形図を図３に、リモコン送信器１の斜視図を図４に示す。
【００１２】
本ブロック構成は、放電灯（例えば、環形蛍光灯、二重環形管蛍光灯、直管蛍光灯など）１１と、電球（例えば、白熱電球、ハロゲン電球、クリプトン電球など）１２と、交流電源２１と、交流電圧を直流電圧に変換する整流平滑部２２と、整流平滑部２２の直流電圧出力を交流の高周波電圧に変換して放電灯１１に供給するインバータ部２３と、インバータ部２３を制御するインバータ制御部２５と、電球１２の出力を制御する電球制御部２６と、タイマ機能（ここでは時計）を有するリモコン送信器１と、リモコン送信器１からの送信信号（点灯、調光、消灯命令など）を受光するリモコン受光部１５と、リモコン受光部１５からの出力を受けてインバータ制御部２５及び電球制御部２６に制御信号を送信する制御部２８とから構成される。
【００１３】
この照明器具１６は天井面（図示しない）に取付けられるものであり、電球１２からの光出力を天井面に反射させ、その反射光を間接光として用い、放電灯１１からの光出力を透光性を有するグローブ１７を介した直接光として用いている。図２中、１８は本体、２７は本体カバーを示し、本体１８と本体カバー２７とで略覆われる空間内には、整流平滑部２２とインバータ部２３とインバータ制御部２５と電球制御部２６と制御部２８等とが収納配置されている。
【００１４】
リモコン送信器１は、図４に示すように、全灯２、調光３、調光ＵＰ４、調光ＤＯＷＮ５、消灯６、点灯３１、スヌーズ７の各スイッチ９と時刻を表示する表示部８とが設けられて成る。各スイッチ９を操作することにより以下のように動作する。
全灯２：放電灯１１を全灯（フル点灯）させるような信号を出力する。
調光３：放電灯１１を調光点灯させるような信号を出力する。
点灯３１：電球１２を点灯させるような信号を出力する。
調光ＵＰ４：電球１２の光出力を増加させるような信号を出力する。
調光ＤＯＷＮ５：電球１２の光出力を低下させるような信号を出力する。
消灯６：放電灯１１と電球１２とを消灯させるような信号を出力する。
スヌーズ７：スヌーズ動作をするような信号を出力する。
【００１５】
なお、スヌーズとは、もうちょっと寝たいときにスヌーズ７を押すと、一旦消灯した後、図５に示すようにスヌーズ動作中、時間の経過と共に照度変化を行うものである。スヌーズによる照度変化は目覚まし動作中の照度変化よりも速いスピードであることが望ましい。
【００１６】
以下、図３を参照して動作を簡単に説明する。
【００１７】
就寝前などに、リモコン送信器１のタイマで予め起床時刻などをセットする。すると、起床時刻の一定時間前（例えば３０分前）に、リモコン信号がリモコン送信器１よりリモコン受光部１５に送信される。リモコン受光部１５が受信すると、先ず、電球１２が点灯を開始する。この際、図３に示すように、電球１２の照度は低照度から高照度へと時間の経過と共に徐々に高くなっていく。このような照度変化により、就寝者は深い睡眠状態から浅い睡眠状態へと導かれる（目覚まし機能）。そして、起床時刻になると電球１２は消灯し放電灯１１が点灯する。
【００１８】
ここで、目覚まし動作中に、操作者がスイッチ９のいずれかの操作を行うと、電球１２は目覚まし動作を停止し、放電灯１１あるいは電球１２は、リモコン送信器１から出力された信号に基づいて光出力（照度）を変化させる。
【００１９】
以上のように構成することにより、光刺激によって就寝者を目覚めさせることが可能で、使い勝手の良い照明装置を提供できる。また、リモコン送信器１には、目覚まし時計の機能も付加することにより、図６に示すように、音刺激（アラーム）と光刺激とにより就寝者を目覚めさせることが可能となる。
【００２０】
なお、整流平滑部２２は、例えば、整流器と平滑コンデンサとからなる回路、あるいは昇圧チョッパ回路であっても良く、他の構成でも構わない。インバータ部２３は、例えば、ハーフブリッジ式インバータ回路であっても良く、他の構成でも構わない。電球制御部２６は、例えば、トライアックなどを用いて構成すれば、位相制御にて電球１２の連続調光などが簡単に行えるが、他の構成でも構わない。
【００２１】
また、リモコン送信器１のタイマ機能はカウンタであっても良い。また、電球１２の変化は、図３に示すものに限らず、本発明の作用効果を持たすものであれば、直線的であっても階段状であっても曲線的であっても、それらを適宜組み合わせたものであっても良い。また、起床時刻後の通常点灯状態（例えば、フル点灯）では放電灯１１のみ点灯することとしたが、電球１２を補助照明として用いることができるように構成してもよい。起床時刻以前より放電灯１１を予熱しておくことで、放電灯１１を素早く点灯させることができ、起床時刻での放電灯１１と電球１２との切替を更にスムーズに行うことができる。起床時刻での切替時の放電灯１１による照度と電球１２による照度とを略一致させておくことが望ましいが、これに限るものではない。
【００２２】
また、放電灯１１及び電球１２の個数は幾つでも構わない。また、点灯３１を操作すると、前回制御終了時の光出力で電球１２が点灯することになるが、それに限らず、例えば、任意の照度で点灯するように構成しても構わない。また、スイッチ９は用途に応じて適宜選択すれば良く、例えばスヌーズ７が無くても構わない（例えば、図７に示すような正面図を有するものでも構わない。）
【００２３】
（実施の形態２）
本発明に係る第２の実施の形態を以下に示す。
【００２４】
ブロック構成等は図１に示したものと同じであり、第１の実施の形態と異なる点は、目覚まし動作時間帯の前半（任意の時間）だけは、リモコン送信器１から出力された信号を無視して目覚まし動作を継続させる様に構成したことであり、その他の第１の実施の形態と同一構成には同一符号を付すことより説明を省略する。
【００２５】
この様に構成することで、誤動作を更に確実に防止することができ、更に詳述すれば、比較的照度の低い時間帯での誤動作を更に確実に防止することができる。
【００２６】
（実施の形態３）
本発明に係る第３の実施の形態を以下に示す。ブロック構成等は図１に示したものと同じであり、第１の実施の形態と異なる点は、その動作だけであり、その他の第１の実施の形態と同一構成には同一符号を付すことより説明を省略する。
【００２７】
前記従来例において、仮に、目覚まし動作中（図９中では時刻ｔｏ〜ｔ１の間）に目覚めてしまった場合に自由に照度を変えれるような構成を具備したとしても、操作者が寝ぼけて誤操作して照度を低下してしまうと、前記従来例の欄に記載の様な効果が得られなくなってしまう、という第２の問題点が生じてしまう。本実施の形態は、前記第２の問題点に鑑みてなされたものである。以下、動作を簡単に説明する。
【００２８】
目覚まし動作中に、操作者が全灯２、調光３、調光ＵＰ４、点灯３１のいずれかの操作を行うと目覚まし動作を停止し、リモコン送信器１から出力された信号に基づいて光出力を変化させる。一方、操作者が調光ＤＯＷＮ５、消灯６、スヌーズ７のいずれかの操作を行うと、リモコン送信器１から出力された信号を無視して目覚まし動作を継続させる。
【００２９】
以上のように構成することにより、光刺激によって就寝者を目覚めさせることが可能で、誤操作による照度の低下を防止可能で、使い勝手の良い照明装置を提供できる。
【００３０】
（実施の形態４）
本発明に係る第４の実施の形態を以下に示す。
【００３１】
ブロック構成等は図１に示したものと同じであり、第３の実施の形態と異なる点は、目覚まし動作中には全灯２の操作のみを受け付けるように構成したことであり、その他の第３の実施の形態と同一構成には同一符号を付すことより説明を省略する。
【００３２】
（実施の形態５）
本発明に係る第５の実施の形態を以下に示す。
【００３３】
ブロック構成等は図１に示したものと同じであり、第１の実施の形態と異なる点は、目覚まし動作中にはスヌーズ７の操作のみを受け付けないように構成したことであり、その他の第１の実施の形態と同一構成には同一符号を付すことより説明を省略する。
【００３４】
本実施の形態は以下の問題点を解決したものある。つまり、スヌーズ動作による照度変化は目覚まし動作による照度変化よりも早い為、目覚まし動作中にスヌーズ動作を受け付けてしまうと、図８に示すように、目標照度に達する時刻ｔ６（つまり、目覚まし動作が完了する時刻）が、セットされた起床時刻ｔ１よりも早くなる方向にずれてしまう、という問題点を解決したものである。以上の様に構成することにより、予めセットされ起床時刻と目覚まし動作が完了する時刻とのズレを防止することができる。
【００３５】
なお、上記全ての実施の形態は、本発明の作用効果を満たすものであれば適宜組み合わせても良い。
【００３６】
【発明の効果】
請求項１乃至請求項５に記載の発明によれば、光刺激によって就寝者を目覚めさせることが可能で、使い勝手の良い照明装置を提供できる。
【００３７】
請求項６に記載の発明によれば、光刺激によって就寝者を目覚めさせることが可能で、使い勝手の良い照明器具を提供できる。
【図面の簡単な説明】
【図１】  本発明に係るブロック構成図を示す。
【図２】  本発明に係る照明器具１６の模式的な側面断面図を示す。
【図３】  本発明に係る第１の実施の形態の動作波形図を示す。
【図４】  本発明に係るリモコン送信器の斜視図を示す。
【図５】  本発明に係るスヌーズ動作を説明する動作波形図を示す。
【図６】  本発明に係る第１の実施の形態の別の動作波形図を示す。
【図７】  本発明に係る別のリモコン送信器１の正面図を示す。
【図８】  本発明に係るスヌーズ動作の問題点を説明する動作波形図を示す。
【図９】  本発明に係る従来例の動作波形図を示す。
【図１０】  本発明に係る従来例の問題点を説明する動作波形図を示す。
【符号の説明】
１１    放電灯
１２    電球
２８    制御部
【図１】
0003767319.tif 000002
【図２】
0003767319.tif 000003
【図３】
0003767319.tif 000004
【図４】
0003767319.tif 000005
【図５】
0003767319.tif 000006
【図６】
0003767319.tif 000007
【図７】
0003767319.tif 000008
【図８】
0003767319.tif 000009
【図９】
0003767319.tif 000010
【図１０】
0003767319.tif 000011